(57)【特許請求の範囲】
【請求項１】
引き戸本体が壁に開設された開口部の枠部より室外側に位置するアウトセット引き戸を閉止位置で施錠するアウトセット引き戸用錠前において、枠部に取り付けられる雄側部材と引き戸本体に取り付けられる雌側部材とを具備しており、前記雄側部材は、枠部に固定される雄側本体部と、この雄側本体部に抜き差し可能に取り付けられるボルト部とを有しており、前記雌側部材は、引き戸本体に貫通して取り付けられ、前記ボルト部を受けるフレームと、このフレームに内蔵され、前記ボルト部を受け入れる際にボルト部によって押し込まれる作動部材と、この作動部材をボルト部側に弾発付勢する弾性部材とを有しており、前記作動部材の先端には、アウトセット引き戸用錠前が解錠状態、施錠状態のいずれにあるかを表示する表示部材が設けられており、この表示部材はアウトセット引き戸用錠前が施錠状態にある場合、前記フレームの表示用開口に臨むことを特徴とするアウトセット引き戸用錠前。
【請求項２】
前記フレームは、引き戸本体の室内側から埋め込まれる室内側フレームと、室外側から埋め込まれる室外側フレームとを組み合わせたものであることを特徴とする請求項１記載のアウトセット引き戸用錠前。
【請求項３】
前記作動部材の先端に設けられた表示部材は、ボルト部の抜き差し方向に移動可能となっていることを特徴とする請求項１又は２記載のアウトセット引き戸用錠前。
【請求項４】
前記ボルト部の後端には、施錠状態で雄側本体部と接する把持部が取り付けられていることを特徴とする請求項１、２又は３記載のアウトセット引き戸用錠前。
【発明の詳細な説明】
【技術分野】
【０００１】
本発明は、引き戸本体が壁に開設された開口部の枠部より室外側に位置するアウトセット引き戸に用いられる錠前に関する。
【背景技術】
【０００２】
この種のアウトセット引き戸のための錠前としては、特開２００５−１６３２９４号公報記載のものがある。
かかる錠前は『引戸錠装置は、引戸の戸先側引手寄りに錠ケース本体を埋設して引戸錠を取り付ける一方、引戸が閉止位置にあるとき引戸錠と対向する扉開口部戸先側の開口縁に錠受入れ凹部を嵌め込んで引戸錠受けを取り付ける。そして、引戸錠のサムターンを施錠位置又は解錠位置に回動し、その回動をギヤ列を介して伝達して回転体を回転させると、その回転体のねじ穴にねじ部が螺合する一方で回転ストッパにて回転規制したロック棒を、回転体の回転力に応じて引戸開閉方向と直交する方向に出没させて、引戸錠受けの錠受入れ凹部に対し係脱させる構成』を有している。
このようなアウトセット引き戸は、バリアフリー化のためにスイング式のドアからの改造されるものが多い。
【０００３】
【特許文献１】特開２００５−１６３２９４号公報
【発明の開示】
【発明が解決しようとする課題】
【０００４】
しかしながら、上述した錠前はサムターンをひねって施錠、解錠するため、力が弱い高齢者や身体障害者には向いていない面がある。また、サムターン式の錠前は、サムターンを見てそれが施錠状態にあるか解錠状態にあるかを瞬時に判断するのも難しい面がある。
【０００５】
本発明は、上記事情に鑑みて創案されたもので、サムターンを使用することなく、弱い力でも簡単に解錠、施錠ができ、しかも一見しただけで施錠状態にあるか解錠状態にあるかを瞬時に判断することができるアウトセット引き戸用錠前を提供することを目的としている。
【課題を解決するための手段】
【０００６】
本発明に係るアウトセット引き戸用錠前は、引き戸本体が壁に開設された開口部の枠部より室外側に位置するアウトセット引き戸を閉止位置で施錠するアウトセット引き戸用錠前であって、枠部に取り付けられる雄側部材と引き戸本体に取り付けられる雌側部材とを備えており、前記雄側部材は、枠部に固定される雄側本体部と、この雄側本体部に抜き差し可能に取り付けられるボルト部とを有しており、前記雌側部材は、引き戸本体に貫通して取り付けられ、前記ボルト部を受けるフレームと、このフレームに内蔵され、前記ボルト部を受け入れる際にボルト部によって押し込まれる作動部材と、この作動部材をボルト部側に弾発付勢する弾性部材とを有しており、前記作動部材の先端には、アウトセット引き戸用錠前が解錠状態、施錠状態のいずれにあるかを表示する表示部材が設けられており、この表示部材はアウトセット引き戸用錠前が施錠状態にある場合、前記フレームの表示用開口に臨むように構成されている。
【発明の効果】
【０００７】
本発明に係るアウトセット引き戸用錠前は、雄側本体のボルト部を雌側部材に対して抜き差しするだけで、引き戸本体の解錠、施錠ができるので、従来のようなサムターンを利用したものより弱い力で解錠、施錠が可能となる。また、解錠状態、施錠上端も一見しただけでわかる。これらことから、高齢者や身体障害者にとってやさしいアウトセット引き戸用錠前となっている。
【図面の簡単な説明】
【０００８】
【図１】本発明に係るアウトセット引き戸用錠前の図面であって、同図（Ａ）は施錠状態を示す概略的平面図、同図（Ｂ）は解錠状態を示す概略的平面図である。
【図２】本発明に係るアウトセット引き戸用錠前を構成する雌側部材の図面であって、作動部材が押し込まれた状態（施錠状態）を示す概略的断面斜視図である。
【図３】本発明に係るアウトセット引き戸用錠前を構成する雌側部材の図面であって、作動部材が押し込まれていない状態（解錠状態）を示す概略的断面図である。
【図４】本発明に係るアウトセット引き戸用錠前を構成する雄側部材の図面であって、同図（Ａ）は概略的正面図、同図（Ｂ）は概略的底面図、同図（Ｃ）は概略的左側面図、同図（Ｄ）が概略的右側面図である。
【図５】本発明に係るアウトセット引き戸用錠前を構成する雄側部材の図面であって、同図（Ａ）は施錠状態にある概略的断面図、同図（Ｂ）は解錠状態にある概略的断面図である。
【図６】本発明に係るアウトセット引き戸用錠前を構成する雄側部材の雄側本体部の図面であって、同図（Ａ）は概略的正面図、同図（Ｂ）は概略的底面図、同図（Ｃ）は概略的左側面図、同図（Ｄ）が概略的右側面図である。
【図７】本発明に係るアウトセット引き戸用錠前を構成する雌側部材を引き戸本体の引き戸本体への取付手順を示す概略的分解斜視図である。
【図８】本発明に係るアウトセット引き戸用錠前によって施錠される引き戸本体とこの引き戸本体によって閉塞される壁の開口部とを室外側から見たの概略的斜視図である。なお、開口部は開いている。
【発明を実施するための形態】
【０００９】
本発明の実施の形態に係るアウトセット引き戸用錠前は、引き戸本体６００が壁７００に開設された開口部７１０の枠部７２０より室外側に位置するアウトセット引き戸を閉止位置で施錠するアウトセット引き戸用錠前であって、枠部７２０に取り付けられる雄側部材１００と引き戸本体６００に取り付けられる雌側部材２００とを備えており、前記雄側部材１００は、枠部７２０に固定される雄側本体部１１０と、この雄側本体部１１０に抜き差し可能に取り付けられるボルト部１２０とを有しており、前記雌側部材２００は、引き戸本体６００に貫通して取り付けられ、前記ボルト部１２０を受けるフレーム２１０と、このフレーム２１０に内蔵され、前記ボルト部１２０を受け入れる際にボルト部１２０によって押し込まれる作動部材２２０と、この作動部材２２０をボルト部１２０側に弾発付勢する弾性部材２４０とを有しており、前記作動部材２２０の先端には、アウトセット引き戸用錠前が解錠状態、施錠状態のいずれにあるかを表示する表示部材２５０が設けられており、この表示部材２５０はアウトセット引き戸用錠前が施錠状態にある場合、前記フレーム２１０の表示用開口２１２Ｃに臨むように構成されている。
【００１０】
まず、アウトセット引き戸について、図８を参照しつつ説明する。
アウトセット引き戸は、引き戸本体６００が、壁７００の開口部７１０の周囲に設けられた枠部７２０より室外側に位置しており、壁７００に沿ってスライドすることで、壁７００に開設された開口部７１０を開閉するものである。一般に、スイング式のドアを改造することで構成されるものが多く、引き戸本体６００は吊り具７５０によって上吊り式になっているものが多い。なお、引き戸本体６００の下端縁部には、スライド方向に沿った凹溝（図示省略）が形成されており、床面に立設されたガイド部材（図示省略）がこの凹溝に嵌まり込むことでスライドをガイドされるようになっている。
【００１１】
また、この引き戸本体６００には、スイング式のドアをそのまま流用することが多い。スイング式のドアは、自身が嵌まっていた開口部７１０より若干小さめに設定されているので、引き戸本体６００だけでは、開口部７１０を完全には閉塞することができず、枠部７２０との間に隙間が生じてしまう。この隙間を埋めるため、引き戸本体６００の木口部分には表裏両面に渡る断面略凹字形状の木口カバー６１０が取り付けられる。
なお、この木口カバー６１０は、２つの部材を組み合わせたものであって、引き戸本体６００の室内側から取り付けられる室内側カバー６１１と、引き戸本体６００の室外側から取り付けられる室外側カバー６１２とを有している。室内側カバー６１１の内面部には脚部６１３が設けられており、この脚部６１３が引き戸本体６００の木口に接触することで引き戸本体６００としての幅寸法を増加させるようになっている。この幅寸法の増加は、引き戸本体６００と枠部７２０との間の隙間を埋めるためのものである。
【００１２】
アウトセット引き戸用錠前を構成する雌側部材２００は、上述のように構成されたアウトセット引き戸の引き戸本体６００に開設された貫通孔６２０に貫通させて取り付けられる。
この雌側部材２００は、図２、図３に示すように、貫通孔６２０に取り付けられるフレーム２１０と、このフレーム２１０に内蔵される作動部材２２０と、この作動部材２２０を弾発付勢する弾性部材２４０とを有している。なお、図２においては、作図の都合上、弾性部材２４０の描画は省略している。
【００１３】
前記フレーム２１０は、引き戸本体６００の室内側から埋め込まれるダイキャスト製の室内側フレーム２１１と、室外側から埋め込まれるダイキャスト製の室外側フレーム２１２とを組合せたものである。
前記室内側フレーム２１１は、引き戸本体６００の室内面６４０に密着する略長方形状の室内側台座部２１１Ａと、この室内側台座部２１１Ａの裏面側から突出される室内側円筒部２１１Ｂとが一体に形成されたものである。
なお、室内側フレーム２１１と室外側フレーム２１２とは、ダイキャスト製に限らず、合成樹脂等の他の素材から構成されるものであってもよいことはいうまでもない。
【００１４】
前記室内側台座部２１１Ａの略中心には、後述する作動部材２２０の受け座２２１が臨む長孔状の開口２１１Ｃが開設されている。この開口２１１Ｃは前記室内側円筒部２１１Ｂに臨んでいる。また、室内側台座部２１１Ａの上下両端部には、それぞれ取り付け用のねじ用開口２１１Ｄが開設されている。
なお、前記室内側台座部２１１Ａの引き戸本体６００への取り付けは、ねじに限定されることなく、後述する室内側フレーム２１１の室内側円筒部２１１Ｂと、後述する室外側フレーム２１２の室外側円筒部２１２Ｂとに対応する凹凸を設けておき、フレーム２１０を構成する樹脂のしなりを利用して前記凹凸を嵌合させるようにしたものであってもよい。
【００１５】
前記室内側円筒部２１１Ｂには、室外側縁部から２本の向かい合わせになった真っ直ぐなスリット２１１Ｅが室内側に向かって形成されている。このスリット２１１Ｅは、中間壁部２３０を取り付けるためのものである。この中間壁部２３０は、作動部材２２０を室内側円筒部２１１Ｂに内蔵させるためのものである。
【００１６】
前記中間壁部２３０は、中心に貫通孔２３１Ａが開設された円盤状部２３１と、この円盤状部２３１の縁部から突出された２つのガイド用突起部２３２とが一体に形成されている。前記円盤状部２３１は、貫通孔２３１Ａを含んだ中心部分が室外側に向かって凸となっている。この凸となった部分の室内側は凹部２３３となっている。この凹部２３３は、中間壁部２３０と、後述する作動部材２２０との間に介在される弾性部材２４０を受ける部分である。また、前記２つのガイド用突起部２３２は、前記スリット２１１Ｅに対応するものであり、ガイド用突起部２３２がスリット２１１Ｅに嵌まり込んで、中間壁部２３０の室内側円筒部２１１Ｂ内でのガイドと位置決めとを行う。
【００１７】
前記室外側フレーム２１２は、引き戸本体６００の室外面６５０に密着する略長方形状の室外側台座部２１２Ａと、この室外側台座部２１２Ａの裏面側から突出される室外側円筒部２１２Ｂとが一体に形成されたものである。
【００１８】
前記室外側台座部２１２Ａの略中心には、後述する表示部材２５０に対応した２つの向かいあった扇状の表示用開口２１２Ｃが開設されている。この表示用開口２１２Ｃの中間位置には、非常用解錠孔２１２Ｇとを有している。この表示用開口２１２Ｃ及び非常用解錠孔２１２Ｇは，前記室外側円筒部２１２Ｂに臨んでいる。また、室内外台座部２１２Ａの上下両端部には、それぞれ取り付け用のねじ用開口２１２Ｄが開設されている。
前記室外側円筒部２１２Ｂの外側周面には、前記スリット２１１Ｅに対応した一条の外側凸脈２１２Ｅが形成されている。
【００１９】
一方、前記作動部材２２０は、前記室内側フレーム２１１の開口２１１Ｃに対応した受け座２２１と、この受け座２２１の室外側略中央部から突出した軸部２２２とが一体に形成されたものである。受け座２２１は開口２１１Ｃに臨んだ状態で開口２１１Ｃから抜け落ちないようにするため、開口２１１Ｃの側方のストッパ２１１Ｆで受けられるようになっている。
【００２０】
また、前記軸部２２２は、前記中間壁部２３０の貫通孔２３１Ａを貫通するようになっている。かかる軸部２２２には、室外側に向かって開口する雌ねじ部２２３が形成されている。
【００２１】
このように構成された作動部材２２０の先端、すなわち前記軸部２２２の雌ねじ部２２３には表示部材２５０が取り付けられる。この表示部材２５０は、略ボルト状に形成されており、前記軸部２２２の雌ねじ部２２３に対応した雄ねじ部２５１と、この雄ねじ部２５１に連接された頭部２５２とが一体に形成されたものである。
【００２２】
前記表示部材２５０の頭部２５２には、前記室外側フレーム２１２の表示用開口２１２Ｃに臨む表示部２５３と、この表示部２５３の内側に設けられ、前記室外側フレーム２１２の非常用解錠孔２１２Ｇに臨む非常用押圧部２５４とがある。
前記表示部２５３にはアウトセット引き戸用錠前が施錠状態にあることを視覚的に示すために他の部材とは異なる色彩（例えば、赤色）に塗装されている。なお、前記表示部２５３は、他の箇所と色彩を異ならせる手段は塗装に限られることはなく、シール等を添付することで他の箇所とは色彩を異なるものとすることも可能である。
また、前記非常用押圧部２５４には、表示部材２５０の作動部材２２０への取り付けと位置調整とに利用される十字溝２５５が形成されている。なお、この十字溝２５５は、一般的なプラスドライバーやマイナスドライバーの刃先や硬貨（特に、１０円硬貨、５円硬貨、１円硬貨）に対応した形状になっている。
【００２３】
前記弾性部材２４０は、弦巻バネであって、作動部材２２０の受け座２２１と中間壁部２３０との間に介在されて、作動部材２２０を室内側、すなわち後述するボルト部１２０側に弾発付勢するものである。かかる弾性部材２４０があるために、ボルト部１２０に押されていない場合、すなわち解錠状態にあれば、作動部材２２０の受け座２２１が必ず室内側フレーム２１１の開口２１１Ｃを閉塞するようになっている。
【００２４】
このような部品から構成された雌側部材２００の引き戸本体６００への取付手順について説明する。
まず、室内側フレーム２１１の室内側円筒部２１１Ｂに受け座２２１を開口２１１Ｃに臨ませるようにして作動部材２２０を入れ込む。この作動部材２２０の軸部２２２に弾性部材２４０を外嵌させる。その後、中間壁部２３０を室内側円筒部２１１Ｂに嵌め込む。もちろん、作動部材２２０の軸部２２２は中間壁部２３０の貫通孔２３１Ａを貫通させておく。
これで、弾性部材２４０が作動部材２２０と中間壁部２３０との間に介在されるので、解錠状態にあれば、作動部材２２０の受け座２２１が必ず室内側フレーム２１１の開口２１１Ｃを閉塞する。
【００２５】
また、作動部材２２０の軸部２２２の先端に表示部材２５０を取り付ける。この表示部材２５０は、作動部材２２０がボルト部１２０を受けて施錠状態にある場合には、頭部２５２が室外側台座部２１２Ａの表示用開口２１２Ｃに臨まれければならないので、引き戸本体６００の厚さ寸法に応じて、軸部２２２の雌ねじ部２２３への螺合程度が調整される。すなわち、この表示部材２５０は、ボルト部１２０の抜き差し方向に移動可能となっているのである。
【００２６】
このようにして組み上げられた室内側フレーム２１１を引き戸本体６００に開設された貫通孔６２０に室内側から嵌め込む。なお、引き戸本体６００には、上述したように木口カバー６１０が取り付けられており、前記貫通孔６２０はこの木口カバー６１０にも被さっているため、木口カバー６１０と引き戸本本体６００の室内側面との間には段差がある。この段差を埋めるため、段差カバー６３０が引き戸本体６００の室内側面に木口カバー６１０と接した状態で取り付けられる。かかる室内側フレーム２１１は、ねじ用開口２１１Ｄとねじ２１１Ｎとによって引き戸本体６００に室内側から取り付けられる。
【００２７】
次に、室外側フレーム２１２を引き戸本体６００に開設された貫通孔６２０に室外側から嵌め込む。なお、引き戸本体６００の室外側面には、室内側面と同様に木口カバー６１０が取り付けられており、前記貫通孔６２０はこの木口カバー６１０にも被さっているため、木口カバー６１０と引き戸本本体６００の室外側面との間には段差がある。この段差を埋めるため、前記段差カバー６３０と同様の段差カバー６３０が引き戸本体６００の室外側面に木口カバー６１０と接した状態で取り付けられる。
なお、木口カバー６１０を使用せず、しかもこのアウトセット引き戸用錠前が取り付けられないほど引き戸本体６００が薄い場合には、段差カバー６３０を室内側フレーム２１１と引き戸本体６００との間、室外側フレーム２１２と引き戸本体６００との間にそれぞれ介在させることで、アウトセット引き戸用錠前を引き戸本体６００に取り付けることができるようになる。
【００２８】
室外側フレーム２１２の室外側円筒部２１２Ｂを室内側フレーム２１１の室内側円筒部２１１Ｂに内嵌させる。なお、この際、室外側円筒部２１２Ｂの外側凸脈２１２Ｅが、室内側円筒部２１１Ｂのスリット２１１Ｅに嵌まり込むことで、両フレーム２１１、２１２の位置決めが行われる。
【００２９】
ここで、引き戸本体６００の厚さ寸法に対する前記表示部材２５０の位置決めが正確であれば、作動部材２２０が最も室外側へと押し込まれた状態（施錠状態と同等の状態）になると、表示部材２５０の頭部２５２が室外側フレーム２１２の表示用開口２１２Ｃに臨む。しかし、表示部材２５０の位置決めが不正確であった場合、例えば表示部材２５０がより室内側に位置していた場合には、表示部材２５０の頭部２５２と表示用開口２１２Ｃとの間に隙間が形成される。また、逆に表示部材２５０がより室外側に位置していた場合には、表示部材２５０の頭部２５２が表示用開口２１２Ｃに臨んでも、作動部材２２０と中間壁部２３０との間に隙間が形成される。
このように表示部材２５０の位置決めが不正確な場合には、室外側フレーム２１２を取り外して、再度、表示部材２５０の位置調整を行う。
【００３０】
上述したように、雌側部材２００のフレーム２１０は、室内側フレーム２１１と室外側フレーム２１２からなり、しかも表示部材２５０の位置調整が可能なように構成されているので、１つの雌側部材２００で厚さが異なる複数種類の引き戸本体６００に対応することができる。
【００３１】
そして、表示部材２５０の位置が正確に決まったならば、その状態で室外側フレーム２１２をねじ用開口２１２Ｄとねじ２１２Ｎとによって引き戸本体６００に室外側から取り付ける。
これにより、雌側部材２００が引き戸本体６００に取り付けられる。
【００３２】
次に、上述した雌側部材２００に対応した雄側部材１００について、図４、図５及び図６を参照しつつ説明する。
かかる雄側部材１００は、枠部７２０に固定される雄側本体部１１０と、この雄側本体部１１０に抜き差し可能に取り付けられるボルト部１２０と、このボルト部１２０の後端に取り付けられる把持部１３０とを有している。
【００３３】
前記雄側本体部１１０は、ねじ（図示省略）によって枠部７２０に固定される部分であって、枠部７２０に接する面１１５が開放された略箱型の略直方体状に形成されている。しかも、室内側に向いた室内側側面１１６と、この室内側側面１１６に対向する室外側に向いた室外側側面１１４とには、ボルト部１２０が通過する室内側ボルト用開口１１６Ａ、室外側ボルト用開口１１４Ａがそれぞれ開設されている。なお、前記枠部７２０に接する開放された面１１５は、蓋１１７によって閉塞される。
【００３４】
前記室内側ボルト用開口１１６Ａと室外側ボルト用開口１１４Ａとでは、室外側ボルト用開口１１４Ａの方が大きく設定されている。これは、両ボルト用開口１１４Ａ、１１６Ａ間に挿通されるボルト部１２０を室内側に引ききった場合、すなわちアウトセット引き戸用錠前を解錠状態とした場合でも、ボルト部１２０が雄側本体部１１０から抜け落ちないようにするためである。
【００３５】
また、前記室内側ボルト用開口１１６Ａと室外側ボルト用開口１１４Ａとの間には、挿通されたボルト部１２０が接し、ボルト部１２０のガイドを行うためのガイド部１１８が設けられている。
このガイド部１１８は、雄側本体部１１０の開放された面１１５に対向する面である表面１１２の裏面側に形成された凸脈である。かかるガイド部１１８には、室内側ボルト用開口１１４Ａ側と室外側ボルト用開口１１４Ａ側とにそれぞれ１つずつ小凹部１１８Ａ、１１８Ｂが形成されている。この小凹部１１８Ａ、１１８Ｂは、後述する小玉１２３と対応しており、ボルト部１２０の位置決めを行うものである。
【００３６】
この雄側本体部１１０の室内側の表面縁部には、室内側に向かって抉られた本体部側半溝部１１１が形成されている。
また、この雄側本体部１１０の表面１１２には４つのねじ孔１１３が開設されている。このねじ孔１１３は、雄側本体部１１０を枠部７２０に取り付けるためのものである。
【００３７】
一方、前記ボルト部１２０は、先端が前記雌側部材２００の作動部材２２０を押し込んで雌側部材２００に挿入される楔状部１２１となった棒体である。
また、このボルト部１２０は、雄側本体部１１０より長く設定されている。また、先端の楔状部１２１は、室外側ボルト用開口１１４Ａにぴったりと嵌まり込む形状、サイズに設定され、それ以外の部分は室内側ボルト用開口１１６Ａにぴったりと嵌まり込む形状、サイズに設定されている。従って、ボルト部１２０の先端の楔状部１２１は、それ以外の部分より大きく設定されている。
【００３８】
また、このボルト部１２０の上面側、すなわち前記ガイド部１１８と接触する部分には、小玉１２３とこれを弾発付勢するスプリング１２５とを格納する縦穴１２４が開設されている。ボルト部１２０の小玉１２３は、前記小凹部１１８Ａ、１１８Ｂと対応する部分あって、施錠状態になる場合には小玉１２３が小凹部１１８Ａに嵌まり込むようになり（図５（Ａ）参照）、解錠状態になる場合には小玉１２３が小凹部１１８Ｂに嵌まり込むようになっている（図５（Ｂ）参照）。
【００３９】
なお、かかるボルト部１２０の後端には、ボルト部１２０の後端を把持部１３０に取り付けるための雌ねじ部１２６が開設されている。
【００４０】
一方、ボルト部１２０の後端が取り付けられる把持部１３０は、前記雄側本体部１１０の約１／２の大きさに設定されており、アウトセット引き戸用錠前が施錠状態にある際、雄側本体部１１０にぴったりと接するようになっている。しかも、接した状態で雄側本体部１１０と違和感がないようなデザインに設定されている。すなわち、この把持部１３０の室内側の表面縁部には、室外側に向かって抉られた把持部側半溝部１３１が形成されている。把持部１３０が雄側本体部１１０にぴったりと接した場合、把持部側半溝部１３１と本体部側半溝部１１１とが対応して凹状になった半溝部１４０が形成される。この半溝部１４０は、施錠状態から解錠状態へと把持部３１３を移動させる場合に指の掛かりを容易にするための部分である。
【００４１】
かかる把持部１３０の室外側の面１３２にはボルト部１２０の後端が挿入されるボルト部挿入孔１３２Ａが開設されている。この把持部１３０には、前記ボルト部挿入孔１３２Ａにボルト部１２０が挿入された状態で、ボルト部１２０の雌ねじ部１２６に対応した貫通孔１３３が形成されている。この貫通孔１３３は、ボルト部挿入孔１３２Ａに挿入されたボルト部１２０の雌ねじ部１２６と対応し、ねじ１３４でボルト部１２０を把持部１３０に固定するためのものである。
【００４２】
このように構成された雄側部材１００は引き戸本体６００に取り付けられた雌側部材２００と向かい合って、詳しくは、雌側部材２００の開口２１１Ｃに臨んだ作動部材２２０に雄側部材１００のボルト部１２０が臨むような位置において枠部７２０に取り付けられる。
【００４３】
また、このような雄側部材１００及び雌側部材２００から構成されたアウトセット引き戸用錠前の作動について、図１、図２、図３及び図５を参照しつつ説明する。
『解錠状態』
解錠状態では、雄側部材１００の把持部１３０が図１（Ｂ）のように室内側に位置している。この状態では、ボルト部１２０の先端の楔状部１２１が完全に雄側部材１００の雄側本体部１１０内に引っ込んでいるので、引き戸本体６００は自由に開閉することができる。なお、この状態では、ボルト部１２０の小玉１２３は室内側に位置する小凹部１１８Ｂに嵌まり込んでいる。
また、この解錠状態では、図１（Ｂ）に示すように、把持部１３０は枠部７２０内におさまっているので、室内にいる人が身体や被服を引っかけるおそれが少ない。
【００４４】
『施錠状態』
図１（Ｂ）に示すように、雄側部材１００のボルト部１２０を室内側に位置させ、さらに引き戸本体６００を閉止位置に位置させ開口部７１０閉じた状態にする。この状態では、雄側部材１００のボルト部１２０は、雌側部材２００の開口２１１Ｃに臨んだ作動部材２２０に向かい合っている。
この状態から、把持部１３０を室外側に向かって押し込む（図１（Ａ）参照）。すると、ボルト部１２０の楔状部１２１は、雌側部材２００の作動部材２２０を雌側部材２００の内部側に向かって押し込み、雌側部材２００の室内側円筒部２１１Ｂ内へと進入する。
この状態で引き戸本体６００は施錠状態となる。施錠状態にある雌側部材２００では、表示部材２５０の表示部２５３が表示用開口２１２Ｃに臨むので、施錠状態にあることが一目瞭然となる。
【００４５】
なお、この状態から把持部１３０を室内側へと引っ張って解錠状態とすると、雄側部材１００のボルト部１２０が室内側円筒部２１１Ｂから抜き取られる。これで解錠状態となる。なお、ボルト部１２０を室内側円筒部２１１Ｂから抜き取ると同時に、弾性部材２４０の作用によって、作動部材２２０の受け座２２１が室内側フレーム２１１の開口２１１Ｃを閉塞する。
施錠状態から解錠状態へと移行すると、作動部材２２０の先端に取り付けられた表示部材２５０も室内側へと移動するので、表示部材２５０の表示部２５３は室内側へと移動するので、表示用開口２１２Ｃに臨まず、室内側に引っ込んだ状態（図３参照）になるので、解錠状態であることも一目瞭然となる。
【００４６】
緊急時に施錠状態にあるアウトセット引き戸用錠前を室外から解錠するには、非常用解錠孔２１２Ｇを介して爪楊枝やクリップ等の先端が細い工具を挿入し、表示部材２５０を室内側に押し込む。すると、表示部材２５０が取り付けられた作動部材２２０が室内側に押し込まれ、その結果、ボルト部１２０を室内側に押し込まれる。
施錠状態にあるボルト部１２０は、小玉１２３が室外側ボルト用開口部１１４Ａ側にある小凹部１１８Ａに嵌まり込んでいるが、室内側への力が加えられることによって、小玉１２３が小凹部１１８Ａから外れ、ボルト部１２０は室内側へと押し込まれる。
ボルト部１２０が雄側本体部１１０の内部まで十分に押し込まれると、解錠状態となる。
なお、前記非常用解錠孔２１２Ｇに挿入されるのは、爪楊枝やクリップ等に限定されるものではなく、非常用解錠孔２１２Ｇに挿入でき、表示部材２５０を室内側に押し込むことができるものであればどのようなものでもよいことはいうまでもない。
【００４７】
なお、非常用解錠孔２１２Ｇは、表示部材２５０の中心に位置するため室内側に押し込んでも破損されるおそれが低い。これに対して、表示用開口２１２Ｃを介して表示部材２５０の頭部２５２の表示部２５３を押し込むと、表示部２５３は表示部材２５０の中心から変位した位置にあるので、破損されるおそれが高い。このように、非常用解錠孔２１２Ｇを設けておくと、緊急時にも容易に解錠することができるアウトセット引き戸用錠前とすることができる。
【００４８】
なお、図１中の７４０は、引き戸本体６００が室外側から押された場合に撓むのを防止するための突起部材である。この突起部材７４０は、引き戸本体６００の木口カバー６１０の近傍に取り付けられる。引き戸本体６００は、上方は吊り具７５０によって、下方はガイド部材によって支持されているが、中間部はなにものにも支持されていないので、室外側から押されると撓んでしまい、その結果、アウトセット引き戸用錠前が損傷するおそれがある。特に内部に構造体がなく剛性が低いフラッシュ扉等の場合にはこの突起部材７４０があるとよい。
【００４９】
なお、上述した説明では、引き戸本体６００はスイング式のドアを改造したものが多いとしたが、本発明に係るアウトセット引き戸用錠前は、リフォームで改造される引き戸本体６００にのみ適用されるものでなく、最初からアウトセット引き戸として設計されるものを含むのはいうまでもない。
また、上述した説明では、引き戸本体６００は吊り具７５０によって上吊り式になっているものが多いとしたが、本発明に係るアウトセット引き戸用錠前がこのような上吊り式のものにのみ適用されるものでないこともいうまでもない。
【００５０】
また、上述した説明では、ボルト部１２０の後端には、アウトセット引き戸用錠前が施錠状態にある際、雄側本体部１１０にぴったりと接し、しかも接した状態で雄側本体部１１０と違和感がないようなデザインである把持部１３０が取り付けられていると説明したが、この把持部１３０は必須ではない。
雄側本体部１１０にぴったりと接する必要はないし、雄側本体部と違和感がないようなデザインである必要はない。
【符号の説明】
【００５１】
１００    雄側部材
１１０    雄側本体部
１２０    ボルト部
２００    雌側部材
２１０    フレーム
２２０    作動部材
２４０    弾性部材
６００    引き戸本体
７００    壁
７１０    開口部
７２０    枠部
【図１】
0006370643.tif 000002
【図２】
0006370643.tif 000003
【図３】
0006370643.tif 000004
【図４】
0006370643.tif 000005
【図５】
0006370643.tif 000006
【図６】
0006370643.tif 000007
【図７】
0006370643.tif 000008
【図８】
0006370643.tif 000009